(57)【要約】      （修正有）【課題】噴出液を循環し、繰り返し、噴水として使用可能とする、正浸透膜法により食塩水を揚液して噴出させる噴水を提供する。【解決手段】食塩水と淡水の混合液が、食塩水槽１の上端に設けた噴出塔３から噴出口４を経て噴出してなる噴水であり、噴出液５をその下部に設けた受け皿槽６に集め、この受け皿槽６の下部に設けたイオン成分分別装置ＥＤＩまたはＥ−ＣｅｌｌまたはＥＤＲ８を経由して食塩水と淡水に分別し、それぞれ食塩水槽１および淡水槽２に送り出し、再び正浸透膜７を経由して揚液し、噴水として稼働させる。【選択図】図１
0003198624.tif 000002
【実用新案登録請求の範囲】
【請求項１】
濃度が、１０〜１％の塩化ナトリウムを主成分とする食塩水Ａと、塩化ナトリウム濃度が１％以下の水溶液である淡水Ｂが、正浸透膜によって分割された容器内に分離されて入れられ、ＢがＡ内に浸透する正浸透膜プロセスに於いて、
第一の考案点が、Ａの容器上部に筒状の噴出塔が設置され、正浸透膜プロセスが稼働時にＡとＢの混合液が、噴出塔先端の噴出口から噴出し、この噴出口から噴出した噴出液を、その下部に設けた受け皿槽に回収する事を特徴とする正浸透膜プロセス容器による装置である事。
第二の考案点が、直流電極とイオン交換法を組み合わせたＥＤＩまたはＥＤＲまたはＥ−Ｃｅｌｌ法によって、または逆浸透膜によって、前項記載の受け皿槽に回収された噴出液を、塩化ナトリウム含有量の少ない淡水と、ナトリウムイオンおよび塩素イオンを高濃度に含有する液体とに分別して、淡水はＢの入っている淡水槽に、ナトリウムイオンと塩素イオンを高濃度に含有する液体はＡの入っている食塩水槽に送り出す事を特徴とする正浸透膜プロセス容器による装置である事。
以上の第一の考案点の内容、および第二の考案点の内容を備えている事を基本とする正浸透膜プロセス容器による装置である事。
【請求項２】
上記、請求項１の第一の考案点および第二の考案点の内容を備えている事を基本とする正浸透膜プロセスに於いて、先端が噴出口である噴出塔を複数個、線状または円状に組み合わされて、噴出液が噴出する構造である事を特徴とする正浸透膜プロセス容器による装置である事。
【請求項３】
Ｂの入った淡水槽の上部空間が密閉され、０〜５ｋｇ／ｃｍ２の圧力範囲の大気によって占有されており、この大気の圧力を調整する事によって液体の噴出時の噴出量および噴出速度を調整する事を特徴とする正浸透膜プロセス容器による装置である事。
【請求項４】
Ａの食塩水槽およびＢの淡水槽からなる正浸透膜プロセス容器が、噴出液の受け皿槽を起点に、Ｂの容器の外側にＡの容器、またはＡの容器の外側にＢの容器の順に、複数の正浸透膜プロセス容器が、受け皿槽を取り巻いて設置され、それぞれのＡ容器の噴出塔から噴出口を経て、ＡとＢの混合液が噴出し、噴出液が受け皿槽に回収され、請求項１、請求項２および請求項３記載の内容の工程が繰り返される事を特徴とする正浸透膜プロセス容器による装置である事。
【考案の詳細な説明】
【技術分野】
【０００１】  本考案は、食塩水と淡水を、正浸透膜により揚液してなる噴水に関するものである。
本考案の噴水は、羽根車を回転して、発電機を駆動する事を主用途としている。
【背景技術】
【０００２】  近年、海水と、河川水や精製下水との間の浸透圧を利用し、水溶液を揚液し、この水溶液の運動エネルギーを利用して羽根車を回転させ、発電機を駆動して発電させる正浸透膜発電の開発を各国が進めている。浸透膜技術において我が国は世界のトップクラスと言われており、この正浸透膜発電も、国家プロジェクトとして採りあげられ、小規模の実験は既に成功と報じられている。【０００３】  併し、この発電は海岸と河川の合流点付近や、下水処理場付近に発電装置を設置して、そこから消費地まで送配電する仕組みになっているため、コスト面の利点は少ないと考えられている。
この様な立地問題のほかに、浸透膜についても、大型の発電用として使用可能な膜は未完成で、この解決を望まれているのが現状である。
【先行技術文献】
【特許文献】
【０００４】
【特許文献１】特開２００３−１７６７７５号公報
【特許文献２】特開２００５−２７９５４０号公報
【特許文献３】ＷＯ２０１２／００２２６３号公報
【特許文献４】ＷＯ２０１２／１６９２０６Ａ１号公報
【特許文献５】特開２０１３−１３８８８号公報
【特許文献６】特開２０１３−５１３４７１号公報
【非特許文献】
【０００５】
【非特許文献１】Ｊ．Ｒ．ＭｃＣｕｔｃｈｅｏｎ  ａｎｄ  Ｅ．Ｅｌｉｍｅｌｅｃｈ，ＡＩＣＨＥ  Ｊ，５３，１７３６（２００７）．
【非特許文献２】「濃度差発電とは」Ｈｉｇａ  Ｌａｂｏｒａｔｏｒｙ  Ｙａｍａｇｕｃｈｉ  Ｕｎｉｖｅｒｓｉｔｙ  Ｐｉａｎｏ．Ｃｈｅｍ．ｙａｍａｇｕｃｈｉ−Ｕ．ａｃ．ｊｐ／ＰＲＯ−ＨＰ／ＰＲＯ５．ｐｄｆ
【考案の概要】
【考案が解決しようとする課題】
【０００６】  本考案が解決しようとする課題は、正浸透膜によって揚液し、噴出させた液体を系外に排出する事なく回収し、再度、系内に戻し、噴水として再使用し、海岸などの水源地の近くではなく、消費地の近くに立地出来るようにする事である。
【課題を解決するための手段】
【０００７】  本考案の課題を解決するための手段は、噴出した水溶液を外部に排出する事なく系内に戻し、その過程において、噴出水を食塩水と淡水に分別し、噴水として再利用可能とし、海水や河川水などの水源の近くに装置を設置する必要のない噴水とする事を、最も主要な内容とするものである。
また、同時に膜の浸透速度を補完し安定化するために、淡水の圧力を制御する事および正浸透膜の面積を在来技術の３倍以上に増加可能として、安定した噴水の維持が可能となり、課題を解決する事が出来た。
【考案の効果】
【０００８】  本考案の噴水は、噴出口から噴出した水溶液を外部に排出する事なく循環して使用するために、海岸や河川などの制約を受けないで立地場所を選択する事が可能となる。【０００９】  本考案の噴水は、正浸透膜により揚液し、その運動エネルギーを利用して羽根車を回転駆動する事を主用途とするものであるが、浸透膜については各研究機関において開発途上であり、まだ市場で要求されている大規模発電を満足する膜は完成されていないのが実情である。
しかし小規模発電には、現状の膜でも適用可能に近い段階にあり、本考案の実績が大型発電の諸問題解決の糸口となる事が期待される。
本考案は、１０ｋｗ程度までの小規模発電機を消費地に設置出来るので、送配電が不要ないし簡素化され、電力消費契約の多くを占める小規模消費者に安価に電力を提供できる事になる。【００１０】  本考案により、淡水槽を加圧状態とし、また正浸透膜の面積を在来技術の３倍以上とする事が可能となり、安定した水溶液の噴出が可能となった。この手段は、大型の正浸透膜発電技術に応用する事が期待される。【００１１】  本考案の噴水は、天候や停電の影響は殆ど受けなくなる。【００１２】  将来、電柱が不要となり市町村の景観に寄与できる。【００１３】  海外を含めて、未開発地域や、遠隔地、過疎地向けに安価に電力を提供可能となる。【００１４】  小規模電力需要家の消費する電力が、本考案の方法に切り替わる事によって、化石燃料の消費が大幅に減り、その輸入も減少出来る。
【図面の簡単な説明】
【００１５】
【図１】図１は１食塩水槽と２淡水槽が正浸透膜を介してなる単位正浸透膜システム容器の説明図である。（実施例１）
【図２】図２は１食塩水槽と２淡水槽が正浸透膜を介してなる単位正浸透膜システム容器が、複数設置された場合について、単位容器が２層の場合を例に示した説明図である。（実施例２）
【図３】図３は装置を上から見た俯瞰図で、９羽根車の位置関係を示した説明図である。（実施例３）
【図４】図４は淡水槽の上端にある１０密閉大気空間の圧力が０ｋｇ／ｃｍ２の時の説明図で、この大気空間には大気は殆ど存在しない場合の説明図である。（実施例４）
【考案を実施するための形態】
【００１６】  本考案は、食塩水と、淡水の混合水溶液が、食塩水槽の上端に設けた３噴出塔から４噴出口を経て、噴出してなる噴水システムであり、５噴出液をその下部に設けた６受け皿槽に集め、この受け皿槽の槽内に設けた８ＥＤＩ装置、ＥＤＲ装置またはＥ−Ｃｅｌｌ装置、または逆浸透膜を経由して、食塩水と淡水に分別し、それぞれ食塩水槽および淡水槽に圧送し、再び７正浸透膜を経由して揚液し、噴水として循環稼働化を図るという実施形態となっている。
この噴水は、羽根車を回転駆動し、発電機を駆動して発電する事が、本考案の噴水を利用して実施する主要な用途の一例である。
【実施例１】
【００１７】  図１は、本考案の実施例１の断面説明図であって、１〜８は図２、図３および図４と共通し同様な仕様のものである。【００１８】  食塩水槽および淡水槽の１２水位を、揚液の動作開始前に、ほぼ同じ高さに設定し吸水ておく。６受け皿槽についても、動作開始前に淡水をほぼ受け皿の上部近く、１２水位よりは高くなるように給水しておく。受け皿槽の上部水位は、その状態を揚液の動作中も含めて常に維持する。その後、淡水槽上部の１０密閉空間の圧力を調整してから揚液動作に入る。その圧力は、０〜５ｋｇ／ｃｍ２で、噴水の希望する噴出高さなどの動作基準によって、１１ポンプおよび１３加圧口の大気圧調整弁によって行う。【００１９】食塩水の溶媒および淡水は、装置の汚染を防ぐために、水道水または、風呂水などの下水のＲＯ膜による精製水を使用する事が好ましい。【００２０】  ８ＥＤＩ装置、ＥＤＲ装置およびＥ−Ｃｅｌｌ装置は、市場で販売されている公知の物が採用可能である。東洋紡エンジニアリング、オ―センアライアンス、クボタ化水などが販売し、多数の実績がある。【００２１】  ７正浸透膜も、市場で販売されている公知のものを使用可能である。日東電工、東レ、東洋紡エンジニヤリング、旭硝子などが販売し、多数の実績がある。
【実施例２】
【００２２】  図２は、本考案の実施例２の食塩水槽と淡水槽が正浸透膜を介してなる単位容器が複数個配置される場合の断面説明図で、図では、２個の正水膜容器を、受け皿槽を中心にして、同心円状に配置し、噴出塔も２個ずつ計４個設置した例を示してある。受け皿槽からの高濃度の食塩水は１４送水路、淡水は１５送水路を経由してそれぞれ食塩水槽および淡水槽に送られる。
噴出の動作および原理は、図１の実施例１と同様である。
【実施例３】
【００２３】  図３は、発電機を駆動するための９羽根車を配置した状態で、装置全体を上部がら俯瞰した場合の説明図であって、円形の外側に４個の噴出塔が設置された食塩水槽、次に７正浸透膜を挟んで淡水槽があり、中心に受け皿槽が配置されている。この受け皿槽の上部には、９羽根車が設置され、噴出液によって回転させる機構となっている。噴出液は、受け皿槽に回収され、実施例１と同様に、ＥＤＩ装置、ＥＤＲ装置またはＥ−Ｃｅｌｌ装置、または逆浸透膜を経由し食塩水と淡水に分別され、食塩水槽および淡水槽に、それぞれ送られて、再び、正浸透膜を経由し、噴出塔を通り噴出口から噴出される。
【実施例４】
【００２４】  図４は、淡水槽上部の密閉大気空間の圧力が０ｋｇ／ｃｍ２、即ち、空間には殆ど大気が存在しない真空状態の噴水の断面説明図である。噴水の動作および原理は実施例１と同様であるが、受け皿槽上部の噴出液の液面が受ける大気圧によって、淡水槽は液柱を支持されている。１３大気圧調整弁付き加圧口によって淡水槽の水位は調整されるが、その最上部は受け皿槽の液面より低く設定する事が好ましい。
複数の正浸透膜システム容器は、長期間の使用による汚染を洗浄するために、取り外し容易な単位容器ごとに設置するよう設計する事が好ましい。【００２５】  本実施例１〜４は、本考案の内容を限定するものではない。
【産業上の利用可能性】
【００２６】  我が国の電力消費を、一般家庭中心の小規模需要家と大口消費者について比較すると、消費電力の面では、凡そ  ０．４対１．０  契約者数では、１．７対１．０  という比率になっている。この数字から、多数の小規模消費者が少ない電力を消費していると言う事が分かる。言い換えると、我が国は、少ない電力消費者に対し、国の隅々まで配電網を巡らして電力を供給していると言える。電気代で見ると、凡そ、発電費用１０円／ｋｗに対し送配電費用は２０円／ｋｗほど、合計３０円／ｋｗほどとなっている。送配電費用が発電費用の２倍となっているわけである。この産業構造を変革して、小規模需要家が、送配電不要の自家発電に切り替えたら、大変安価な電気を使える事になるのは明白である。本考案の噴水システムは、この役割に適しており、資源のない我が国として、経済的にも大きなメリットがあるので、市場は大きく開けていくと考えられる。
【符号の説明】
【００２７】  １    食塩水槽
２    淡水槽
３    噴液塔
４    噴出口
５    噴出液
６    噴出液受け皿
７    正浸透膜
８    ＥＤＩ法、ＥＤＲ法またはＥ−Ｃｅｌｌ法、または逆浸透膜イオン交換分別機構
９    羽根車
１０  密閉大気空間
１１  ポンプ
１２  稼働開始時の設定水位
１３  大気圧調整弁付き加圧口
１４  受け皿槽で分別処理された淡水の送水路
１５  受け皿槽で分別処理されたナトリウムイオンおよび塩素イオンを高濃度で含んだ        食塩水の送水路
【図１】
0003198624.tif 000003
【図２】
0003198624.tif 000004
【図３】
0003198624.tif 000005
【図４】
0003198624.tif 000006
【手続補正書】
【提出日】平成27年4月9日(2015.4.9)
【手続補正１】
【補正対象書類名】実用新案登録請求の範囲
【補正対象項目名】全文
【補正方法】変更
【補正の内容】
【実用新案登録請求の範囲】
【請求項１】
正浸透膜Ｃを介して、上部が密閉された淡水槽Ａから淡水が食塩水槽Ｂに移行して、淡水と食塩水の混合液が食塩水槽Ｂの上部に揚液し、食塩水槽Ｂ上部の噴出塔を経て、噴出口から噴出する噴水において、
噴出した淡水と食塩水との混合液を、噴出口の下部に設置した噴出液受け皿槽に落下させて回収し、噴出液受け皿槽下部のイオン成分分別槽内に設けられた、直流電極と
イオン交換高分子粒状物を組み合わせたＥＤＩまたはＥ−ＣｅｌｌまたはＥＤＲの何れかによるイオン成分分別装置を経由して、淡水と食塩水に分別し、淡水は淡水槽Ａに、食塩水は食塩水槽Ｂに配管を通じて戻し、再び淡水は、淡水槽Ａから正浸透膜Ｃを経由し、食塩水槽Ｂに移行し、食塩水と合流して、噴出口から噴出液受け皿槽に落下し、イオン成分分別装置を通過して、淡水と食塩水に分別され、淡水は淡水槽Ａに、食塩水は食塩水槽Ｂに配管を通じて戻され、再び、淡水が正浸透膜Ｃを通過し、食塩水槽Ｂに移行して食塩水と合流し、噴出口より噴出する工程を連続して繰り返すことを特徴とする噴水。
【請求項２】
請求項１記載の淡水槽Ａが、食塩水槽Ｂの相対する両側面に配置された正浸透膜Ｃの外側に配置され、幅方向にＡＣＢＣＡの５層からなる長尺帯状の構成体となり、この構成体が長さ方向の両端において連結されてＡＣＢＣＡの５層からなる円筒状構成体となり、この円筒の食塩水槽Ｂ上部に設けられた複数の噴出塔を経て、淡水と食塩水の混合液が複数の噴出口から噴出し、噴出口下部の噴出液受け皿槽に落下し、イオン成分分別装置を経由して、再び淡水槽Ａ、正浸透膜Ｃ、食塩水槽Ｂを経て、揚液し、噴出口から噴出する工程を連続して繰り返すことを特徴とする請求項１に記載の噴水。
【手続補正２】
【補正対象書類名】明細書
【補正対象項目名】全文
【補正方法】変更
【補正の内容】
【考案の詳細な説明】
【技術分野】
【０００１】  本考案は、食塩水と淡水を、正浸透膜により揚液してなる噴水に関するものである。
本考案の噴水は、羽根車を回転して、発動機を駆動する事を主用途としている。
【背景技術】
【０００２】  近年、海水と、河川水や精製下水との間の浸透圧を利用し、水溶液を揚液し、この水溶液の運動エネルギーを利用して羽根車を回転させ、発電機を駆動して発電させる正浸透膜発電の開発を各国が進めている。浸透膜技術に於いて我が国は世界のトップクラスと言われており、この正浸透膜発電も、国家プロジェクトとして採りあげられ、小規模の実験は既に成功と報じられている。【０００３】  併し、この発電は海岸と河川の合流点付近や、下水処理場付近に発電装置を設置して、そこから消費地まで送配電する仕組みになっているため、コスト面の利点は少ないと考えられている。
この様な立地問題のほかに、膜についても、大型の発電用として使用可能な膜は未完成で、この解決を望まれているのが現状である。
【先行技術文献】
【特許文献】
【０００４】
【特許文献１】特開２００３−１７６７７５号公報
【特許文献２】特開２００５−２７９５４０号公報
【特許文献３】ＷＯ２０１２／００２２６３号公報
【特許文献４】ＷＯ２０１２／１６９２０６Ａ１号公報
【特許文献５】特開２０１３−１３８８８号公報
【特許文献６】特開２０１３−５１３４７１号公報
【非特許文献】
【０００５】
【非特許文献１】Ｊ．Ｒ．ＭｃＣｕｔｃｈｅｏｎ  ａｎｄ  Ｅ．Ｅｌｉｍｅｌｅｃｈ，ＡＩＣＨＥ  Ｊ，５３，１７３６（２００７）
【非特許文献２】「濃度差発電とは」Ｈｉｇａ  Ｌａｂｏｒａｔｏｒｙ  Ｙａｍａｇｕｃｈｉ  Ｕｎｉｖｅｒｓｉｔｙ  ｐｉａｎｏ．ｃｈｅｍ．ｙａｍａｇｕｃｈｉ−ｕ．ａｃ．ｊｐ／ｐｒｏ５．ｐｄｆ
【考案の概要】
【考案が解決しようとする課題】
【０００６】  本考案が解決しようとする課題は、正浸透膜によって揚液し、噴出させた液体を外部に排出する事なく回収し、再度、系内に戻し、噴水として再利用し、海岸や河川などの水源地の近くではなく、消費地の近くに立地出来るようにする事である。
【課題を解決するための手段】
【０００７】  本考案の課題を解決するための手段は、噴出した淡水と食塩水の混合液を外部に排出する事なく系内に戻し、その過程に於いて、噴出液を食塩水と淡水に分別し、噴水として再利用可能とし、海水や河川水などの水源の近くに設置する必要のない噴水とする事を最も主要な手段とするものである。
また、正浸透膜の浸透速度を加速し安定化するために、淡水槽Ａの上部を密閉して淡水の圧力を増大する手段と、正浸透膜の有効面積を在来技術の２倍以上に増加する手段を実施して噴水の安定した稼働を可能とし、課題を解決する事が出来た。
【考案の効果】
【０００８】  本考案の噴水は、噴出口から噴出した水溶液を外部に排出する事なく循環して使用するために、海岸や河川などの制約を受けないで立地場所を選択することが可能となる。【０００９】  本考案の噴水は、正浸透膜により揚液し、その運動エネルギーを利用して羽根車を回転駆動する事を主目的とするものであるが、浸透膜については各研究機関に於いて開発中であり、まだ市場で要求されている大規模発電を満足する膜は完成されていないのが実情である。
しかし、小規模発電には、現状の膜でも適用可能に近い段階にあり、本考案の実績が大型発電の問題解決の糸口となる事が期待される。
本考案は、１０ｋｗ程度までの小規模発電機を消費地に設置出来るので、送配電が不要ないし簡素化され、電力消費者契約の多くを占める小規模消費者に安価に電力を提供できる事になる。【００１０】  本考案により、淡水槽を加圧状態とし、また正浸透膜の有効面積を在来技術の２倍以上とする事が可能となり、安定した水溶液の噴出が可能となった。この手段は、今後、大型の噴水の開発に応用する事が期待される。【００１１】  本考案の噴水は、天候や停電の影響は殆ど受けなくなる。【００１２】  将来、電柱が不要となり、市町村の景観に寄与できる。【００１３】  海外を含めて、未開発地域や、遠隔地、過疎地向けに安価に電力を提供可能となる。【００１４】  小規模電力消費者の消費する電力が、本考案の方法に切り替わる事によって、化石燃料の消費が大幅に減り、その輸入も減少出来る。地球温暖化についても大きく寄与できる事が期待される。
【図面の簡単な説明】
【００１５】
【図１】図１は１食塩水層Ｂと２淡水槽Ａが７正浸透膜Ｃを介してなる単位噴水の説明図である。
【図２】図２は１食塩水槽Ｂと２淡水槽Ｂが７正浸透膜Ｃを介してなる図１に示した単位噴水が、複数設置された場合の例として、単位噴水が２個の場合を示した噴水の説明図である。
【図３】図３は噴水を上から見た俯瞰図で、９羽根車の位置関係を示し、単位噴水が４個配列した例を示した説明図である。
【考案を実施するための形態】
【００１６】  本考案は、食塩水と淡水の混合液が、１食塩水槽Ｂの上端に設けた３噴出塔から４噴出口を経て噴出してなる噴水であり、５噴出液をその下部に設けた６受け皿槽に集め、この受け皿槽の下部に設けた８イオン成分分別装置ＥＤＩまたはＥ−ＣｅｌｌまたはＥＤＲを経由して食塩水と淡水に分別し、それぞれ食塩水槽Ｂおよび淡水槽Ａに送り出し、再び正浸透膜を経由して揚液し、噴水として稼働させるという実施形態となっている。
また、この噴水は、羽根車を回転し、発電機を駆動して発電する事が、主要な用途における、実施形態である。
【実施例１】
【００１７】  図１は本考案の実施例１の断面説明図であって、１〜８、および１０〜１５は図２および図３と共通し同じ仕様のものである。
食塩水槽Ｂおよび淡水槽Ａは、噴水の稼動前に、ほぼ同じ高さの１２設定水位となるように給水しておく。噴出液受け皿槽についても、稼働前に淡水をほぼ噴出液受け皿槽上部近く、１２設定水位より高くなるように給水しておく。受け皿槽の上部水位は、その状態を噴水の動作中も含めて常に維持する事に留意する。その後、淡水槽Ａ上部の密閉大気空間の圧力を調整してから噴水の稼働に入る事に入る事になる。その圧力範囲は、
０〜３ｋｇ／ｃｍ２、好ましくは出来るだけ０ｋｇ／ｃｍ２、即ち真空に近い事が好ましい。この圧力調整は、１１ポンプおよび１３大気圧調整弁付き加圧口の調整弁によって行う。
なお正浸透圧膜は長期間の使用に汚染されるので、取り外しの容易な構造とする事が好ましい。
噴水に使用する水は、装置汚染を防ぐために、水道水またはＲＯ膜によって精製した風呂水などの下水の精製水を使用する事が好ましい。淡水槽および食塩水槽などの構造に使用する材料は、雑菌の繁殖防止を考慮し抗菌性のある材料を選択する事が好ましい。
ＥＤＩ、Ｅ−ＣｅｌｌおよびＥＤＲ装置は、市場で販売されており、公知の製品を使用可能である。東洋紡エンジニアリング、オーセンアライズ、クボタ化水などから入手可能である。
正浸透膜についても、市場で販売されている公知の製品を使用可能である。日東電工、東レ、東洋紡エンジニアリング、旭ガラスなどから入手可能である。
【実施例２】
【００１８】  図２は、本考案の実施例１記載の食塩水槽Ｂと淡水槽Ａが正浸透膜Ｃを介してなる単位噴水が複数個配置された請求項２記載の噴水の断面説明図で、図ではＡＣＢＣＡの５層構成体が噴出液受け皿槽を中心にして、左右に各１個の噴出口から噴出液を噴出している噴水を示している。噴出液は、噴出液受け皿槽からイオン成分分別装置を経て食塩水は１５送水路、淡水は１４送水路を経由して、交錯を避け、それぞれ食塩水槽Ｂおよび淡水槽Ａに送られる。噴出の動作および原理は、図１の実施例と同じである。
【実施例３】
【００１９】  図３は、発電機を駆動する場合を例に、羽根車を噴出液受け皿槽の上部に配置した場合の説明図であって、噴出液受け皿槽の外側に淡水槽Ａ、正浸透膜Ｃ、食塩水槽Ｂ、正浸透膜Ｃ、淡水槽Ａが配置されて、噴出塔は４個設置した場合の例を示したものである。噴出液は、羽根車の固定翼に衝突し、羽根車を回転させる事になる。
淡水槽上部の１０密閉大気空間の圧力が０ｋｇ／ｃｍ２、即ち、この空間には殆ど空気が存在しない真空に近い状態である。噴出液受け皿槽の噴出液の液面が受ける大気圧の影響が少ない真空に近い状態である。噴出液受け皿槽の噴出液の液面が受ける大気圧によって、淡水槽Ａ内の液柱は支持されており、１３大気圧調整弁付き加圧口によって、淡水槽Ａの水位が、噴出液受け皿槽の水位より低くなるように調整する。
【産業上の利用可能性】
【００２０】  我が国の電力消費を、一般家庭中心の小規模需要部門と大口需要部門について比較すると、消費電力では、凡そ０．４対１．０、契約者数では１．７対１．０と言う比率になっている。この数字から、多数の小規模需要部門、即ち一般家庭が極めて少ない電力を消費している事が分かる。この事実は、少ない電力消費者にたいし、国の隅々まで配電網を巡らし多額の費用を掛けて電力を供給している事を示している。これを電気代で見ると、発電費用１０円／ｋｗｈに対し送配電費用は２０円／ｋｗｈ程となっている。
仮に、一般家庭が送配電不要の自家配電に切り替えたら、大きな節電効果が得られる事になる。それも再生可能エネルギーによる家庭電器製品レベルの発電方法が可能となれば、極めて大きな効果が得られる事になる。
資源の無い我が国として、後世に大きな貢献が期待される施策となるのは間違いなく、本考案が、その役割の一端を担うと確信している。
【符号の説明】
【００２１】１        食塩水槽Ｂまたは食塩水槽
２        淡水槽Ａまたは淡水槽
３        噴出塔
４        噴出口
５        噴出液
６        噴出液受け皿槽
７        正浸透膜Ｃまたは正浸透膜
８        イオン成分分別槽およびイオン成分分別装置
９        羽根車
１０      密閉大気空間
１１      ポンプ
１２      稼働開始時の設定水位
１３      大気圧調整弁付き加圧口
１４      イオン成分分別処理された淡水の送水路
１５      イオン成分分別処理された食塩水の送水路
【手続補正３】
【補正対象書類名】図面
【補正対象項目名】全図
【補正方法】変更
【補正の内容】
【図１】
0003198624.tif 000007
【図２】
0003198624.tif 000008
【図３】
0003198624.tif 000009